(57)【要約】油吐出用の可変吐出量羽根式ポンプが、ロータ（９）の周囲に偏心して取り付けられたステータ（１０）を備えており、ロータ（９）は、長手軸（６）を中心として回転するように配置されるとともに、径方向外方に開口する複数の溝（１５）を有している。各溝（１５）には、対応する羽根（１７）が摺動可能に係合している。羽根（１７）とステータ（１０）の間に、３６０°よりも小さい角度の範囲にわたって長手軸（６）の周囲に延在する少なくとも１つの摺動部材（１９；２７）を介在させることで、羽根（１７）がステータ（１０）に接触状態に配置されている。【選択図】図２
2008520898.tif 000002
【特許請求の範囲】
【請求項１】
所定の長手軸（６）を中心として回転するように取り付けられており、前記長手軸（６）と同軸である表面（１６）を有し、この表面（１６）において、径方向外方に開口する複数の溝（１５）が形成されたロータ（９）と、
ロータ（９）の周囲に延在して、ロータ（９）に対して偏心して取り付けられているステータ（１０）と、
各々が、対応する前記溝（１５）内で摺動可能に取り付けられており、ステータ（１０）に向き合う外縁部（１８）を有する複数の羽根（１７）と、
ロータ（９）とステータ（１０）との間の偏心度を選択的に制御する調節手段（１２）と、
を備えた、油吐出用の可変吐出量羽根式ポンプにおいて、さらに、
ステータ（１０）と羽根（１７）の外縁部（１８）との間に配置され、３６０°よりも小さい角度の範囲にわたって前記長手軸（６）の周りに延びる少なくとも１つの摺動部材（１９；２７）を備えていることを特徴とするポンプ。
【請求項２】
請求項１において、前記摺動部材（１９）が単一である可変吐出量羽根式ポンプ。
【請求項３】
請求項１において、少なくとも２つの前記摺動部材（２７）が前記長手軸（６）の周囲に配置されている可変吐出量羽根式ポンプ。
【請求項４】
請求項１〜３のいずれか一項において、前記摺動部材（１９；２７）が、ステータ（１０）および羽根（１７）に対して周方向に摺動可能に連結されている可変吐出量羽根式ポンプ。
【請求項５】
請求項１〜４のいずれか一項において、前記摺動部材（１９；２７）のそれぞれが、２つの湾曲端部（２０；２８）を有している可変吐出量羽根式ポンプ。
【請求項６】
請求項１〜４のいずれか一項において、前記摺動部材（１９；２７）のそれぞれが、前記長手軸（６）と平行な、厚肉された２つの縁部を有している可変吐出量羽根式ポンプ。
【請求項７】
請求項１〜６のいずれか一項において、さらに、
前記長手軸（６）と平行であるロータ（９）の対向する側面に配置され、長手軸（６）の周囲に延在する２つの環状の部材（２２）を備え、
各羽根（１７）が、対応する前記溝（１５）から軸方向に突出しており、前記環状の部材（２２）と接触して配置されている内縁部（２１）を有している可変吐出量羽根式ポンプ。
【請求項８】
所定の長手軸（６）を中心として回転するように取り付けられており、前記長手軸（６）と同軸である表面（１６）を有し、この表面（１６）において径方向外方に開口する複数の溝（１５）が形成されているロータ（９）と、
ロータ（９）の周囲に延在して、ロータ（９）に対して偏心して取り付けられているステータ（１０）と、
各々が、対応する前記溝（１５）内で摺動可能に取り付けられており、ステータ（１０）に向き合う外縁部（１８）を有している複数の羽根（１７）と、
ロータ（９）とステータ（１０）との間の偏心度を選択的に制御する調節手段（１２）と、
を備えた、油吐出用の可変吐出量羽根ポンプにおいて、
各羽根（１７）が、互いに重ね合わせられて互いに摺動可能に連結された少なくとも２枚の薄板（２５）を有しており、ステータ（１０）と羽根（１７）との間に、３６０°よりも小さい角度の範囲にわたって長手軸（６）の周りに延びる少なくとも１つの摺動部材（１９；２７）が配置されていることを特徴とするポンプ。
【発明の詳細な説明】
【技術分野】
【０００１】
本発明は、可変吐出量羽根式ポンプに関しており、特に、油を吐出する可変吐出量羽根式ポンプに関する。本発明は、長手軸を中心として回転するように取り付けられており、複数の径方向外方に開口する溝を有するロータと、ロータの周囲に延在して、ロータに対して偏心して取り付けられているステータと、各々が、対応する溝内で互いに摺動可能に取り付けられおり、ステータに面する外縁部を有する複数の羽根と、ロータとステータとの間の偏心度、すなわちポンプの吐出量を選択的に制御する調節手段とを備えた形式の可変吐出量羽根式ポンプに関する。
【背景技術】
【０００２】
上述の形式の公知の可変吐出量羽根式ポンプは、複数の羽根とステータとの間に比較的大きな摺動摩擦が生じるという事実に主として起因する欠点を有している。
【発明の開示】
【０００３】
本発明の目的は、上述の欠点を有しない可変吐出量羽根式ポンプ、特に、油吐出用の可変吐出量羽根式ポンプを提供することである。
【０００４】
本発明によれば、添付の特許請求の範囲に記載の、油吐出用可変吐出量羽根式ポンプが提供される。
【０００５】
本発明は、これに限定されるわけではないが、添付図面に示す本発明の好ましい実施形態の以下の説明で明らかになるであろう。
【発明を実施するための最良の形態】
【０００６】
図１〜図３には、車両（図示せず）の内燃機関（図示せず）の潤滑系統（図示せず）に、特に油を供給する可変吐出量羽根式ポンプ１が示されている。
【０００７】
ポンプ１は、矩形の断面を有する、ほぼ平行６面体の支持ケース２を有している。支持ケース２は、ほぼ平坦な面４によって側方が定められた第１支持板３を有している。第１支持板３には空洞５が設けられている。空洞５は、平坦面４に直交する長手軸６を有しており、また平坦面４に面して外方に開口しており、この第１支持板３の開口は、軸方向において平坦面４に接触して配置される第２支持板７によって閉じられている。
【０００８】
さらに、ポンプ１は、長手軸６を中心として回転するように第１支持板３および第２支持板７を貫通して取り付けられ、またキー溝が形成された円筒形のロータ（回転子）９を支持する駆動軸８を有している。ロータ９は、空洞５内に収容される。ロータ９の、軸６に平行に測定される幅は、軸６に平行に測定される空洞５の幅にほぼ等しく設定されている。
【０００９】
空洞５は、さらにステータ（固定子）１０を収容している。ステータ１０は、ロータ９の周囲に延在する。ステータ１０の、長手軸６に平行に測定される幅は、同様に長手軸６に平行に測定される空洞５の幅にほぼ等しい。ステータ１０の内側は、ロータ９に対して偏心した位置に配置されるほぼ円筒形の内表面１１によって画定されている。
【００１０】
ステータ１０は、長手軸６と平行である支持軸（支点軸）１３を中心として、公知の形式の調節装置１２の制御のもとで第１支持板３に対して揺動可能に第１支持板３に取り付けられている。これにより、ロータ９とステータ１０の内表面１１との間の偏心度を選択的に制御することが可能である。
【００１１】
ロータ９は、軸方向に対向する両側面に、２つの互いに対向する円筒形の空洞１４を有している。空洞１４は、長手軸６と同心に設けられ、一方の空洞が支持板３に面し、他方の空洞が支持板７に面している。さらに、ロータ９には、複数の放射状の溝１５（図示の例では、６つの溝１５）が設けられている。これらの溝１５は、ロータ９を貫いて長手軸６と平行に設けられており、長手軸６を中心として均等な間隔で形成され、長手軸６と同軸であるロータ９の外表面１６において径方向外方に開口しており、さらに空洞１４において軸方向外方にも開口している。
【００１２】
それぞれの溝１５には、長手軸６と平行に延びる外縁部１８を有する羽根１７が摺動可能に係合されている。羽根１７の外縁部１８は、ステータ１０とロータ９との間でシュー（摺動部材）（shoe）１９をステータ１０に取り付けることで、ステータ１０の内表面１１にシュー１９を介して接触した状態で摺動可能に配置されている。
【００１３】
長手軸６に平行に測定されるシュー１９の幅と、同様に長手軸６に平行に測定される羽根１７の幅とはほぼ等しい。シュー１９は、３６０度よりも小さい角度の範囲にわたって長手軸６の周囲に延在している。ステータ１０および羽根１７は共に、シュー１９の周方向に沿って、つまり、シュー１９の外表面および内表面に沿って、シュー１９の前記幅の方向にわたって接触しており、これにより、シュー１９は、ステータ１０および羽根１７に対して周方向に摺動可能に設定されている。また、シュー１９は、２つの湾曲端部２０を有している。２つの湾曲端部２０のうちの一方が、羽根１７と接触するように配置されている。
【００１４】
それぞれの羽根１７は、対応する溝１５から両方の空洞１４内に突出しており、長手軸６と平行に延びる内縁部２１を有している。羽根１７は、内縁部２１が、各空洞１４内に収容された２つの環状部材２２に接触した状態で配置されている。各環状部材２２は、駆動軸８の周囲に延びており、駆動軸８の直径よりも大きく、かつ対応する空洞１４の直径よりも小さい直径を有するように設定されて、対応する空洞１４内において遊動可能となっている。
【００１５】
隣り合う羽根１７間で、ポンプ室２３が周方向に形成されている。ポンプ室２３は、羽根１７に加え、径方向においてロータ９およびシュー１９によって、軸方向において第１支持板３および第２支持板７によって画定されている。ポンプ室２３は、ロータ９によって軸６を中心として油の吸引口２４および吐出口２５を通過するように移動し、長手軸６を中心とするロータ９の回転およびロータ９とステータ１０の内表面１１との間の偏心にともない、ポンプ室２３の容積が変化する。
【００１６】
さらに、この点に関して重要なことは、それぞれのポンプ室２３の吸引口２４および吐出口２５における容積、すなわちポンプ１の吐出量が、ステータ１０を支持軸１３を中心として揺動させることによって、すなわちロータ９とステータ１０の内表面１１との間の偏心度を変更することによって選択的に制御されている点である。
【００１７】
図２に示されているように、それぞれの羽根１７は、互いに重ね合わせられた少なくとも２枚の薄板２６（図示の例では、４枚の薄板２６）を有しており、これらの薄板２６が、羽根１７とシュー１９との間で効果的な流体密封を確保するため、互いに径方向に摺動可能に連結されている。
【００１８】
図４に示すように、単一のシュー１９に代えて、複数のシュー２７（図示の例では、周方向に分割された３つのシュー２７）を用いてもよい。その場合、各シュー２７は、ステータ１０の内表面１１と対応する２つの羽根１７との間に配置されて、ステータ１０の内表面１１および対応する羽根１７に対して周方向に摺動可能に連結される。各シュー２７は、２つの湾曲端部２８を有しており、２つの湾曲端部２８のうちの一方が、対応する羽根と接触して配置されている。
【００１９】
図示されていない変形例では、シュー１９および２７を、ステータ１０に設けられて内表面１１において外方に開口する空洞内に収容して、羽根１７と接触するよう空洞から外方に突出させてもよい。
【００２０】
図示されていない他の変形例では、シュー１９、２７の湾曲端部２０、２８に代えて、長手軸６と平行な、厚肉された２つの縁部を形成してもよい。
【００２１】
ポンプ１の動作は、上述の説明から容易に理解することができ、したがってさらなる説明は不要である。
【図面の簡単な説明】
【００２２】
【図１】本発明の羽根式ポンプの好ましい実施形態の概略縦断面図である。
【図２】図１の線ＩＩ‐ＩＩに沿って切断した断面図である。
【図３】図１の線ＩＩＩ‐ＩＩＩに沿って切断した断面図である。
【図４】図１〜図３に示すシューの変形例の側面図である。
【図１】
2008520898.tif 000003
【図２】
2008520898.tif 000004
【図３】
2008520898.tif 000005
【図４】
2008520898.tif 000006
【国際調査報告】
2008520898.tif 000007
2008520898.tif 000008
2008520898.tif 000009